(57)【要約】      （修正有）【課題】体積が小さく、軽量で携帯に便利な海綿体空気注入装置を提供する。【解決手段】海綿体空気注入装置は、上ブイ１、海綿体２およびアーム上面カバー体を含んでいる。上ブイには第１保護ゴム３が設置されており、さらに上ブイの下端には海綿体が設置され、海綿体の下方には下ブイ６が設置され、下ブイには第２保護ゴム４が設置され、下ブイの前面には通風路５が接続され、上ブイの上部表面には凸型円形ブロックが設置され、凸型円形ブロックの内にはスプリングが設置されている。スプリングの上端にはスリップ防止端が設置され、凸型円形ブロックの右端にはふた体が接続され、ふた体の右端にはアーム上面カバー体があり、アーム上面カバー体の右端にはスリップ防止端が設けられている。【選択図】図１
0003227139.tif 000002
【実用新案登録請求の範囲】
【請求項１】
海綿体に空気を入れて設置する装置であって、上ブイ（１）と、海綿体（２）と、アーム上面カバー体（１１）とを含む、海綿体空気注入装置であって、
上ブイ（１）に設置された第１保護ゴム（３）と、
上ブイ（１）の下端に設置された海綿体（２）と、
海綿体（２）の下方に設置された下ブイ（６）と、
下ブイ（６）の上方に設置された第２保護ゴム（４）と、
下ブイ（６）の前面に接続された風が出る通風路（５）と、
上ブイ（１）の上表面に設置された凸型円形ブロック（９）と、
凸型円形ブロック（９）の内に設置されたスプリング（７）と、
スプリング（７）の上端に設置されたスリップ防止端（８）と、
凸型円形ブロック（９）の右端に接続された、下方にあるふた体（１０）と、
ふた体（１０）の右端に接続されたアーム上面カバー体（１１）と、
アーム上面カバー体（１１）の右端に接続されたスリップ防止端（８）と、
を有する
ように構成されたことを特徴とする、海綿体空気注入装置。
【請求項２】
請求項１に記載の海綿体空気注入装置において、
海綿体が空気を入れて設置するように構成されており、
凸型円形ブロック（９）は、スプリング（７）を介して自動復帰機構を構成する
ように構成されたことを特徴とする、海綿体空気注入装置。
【請求項３】
請求項１または２に記載の海綿体空気注入装置において、
海綿体が空気を入れて設置するように構成されており、
ふた体（１０）の内部凹構造が、アーム上面カバー体（１１）の形状構造と嵌合する
ように構成されたことを特徴とする、海綿体空気注入装置。
【請求項４】
請求項１乃至３のいずれか１項に記載の海綿体空気注入装置において、
海綿体が空気を入れて設置するように構成されており、
通風路（５）の両端が接着されており、
海綿体（２）近くの通風路（５）の一端と第１保護ゴム（３）との接続箇所は円形であり、
通風路（５）の残りの一端は、平たく接着した状態が長期間維持されるようにくっつけてある
ように構成されたことを特徴とする、海綿体空気注入装置。
【考案の詳細な説明】
【技術分野】
【０００１】
本考案は、空気を注入して設置する技術分野に関し、より具体的には、海綿体に空気を注入して設置する海綿体空気注入装置に関する。
【背景技術】
【０００２】
経済の発展に従って、一般的な空気注入装置は体積が比較的大きく、携帯するのに不便であり、空気の注入に時間が長くかかるため疲れやすく、空気漏れも発生しやすく、作業負担が高く効率が下がってしまう。
また、気体が発生して逆流する時、気体は互いに詰まりやすくなるため、本願発明者は、海綿体空気注入装置を提案する。
【先行技術文献】
【特許文献】
【０００３】
【特許文献１】特開２０１４−２００６４２号公報
【考案の概要】
【考案が解決しようとする課題】
【０００４】
本考案は、上記の問題を鑑みて考案されたものであり、背景技術において上述した課題を解決する海綿体空気注入装置を提供することを目的とする。
【課題を解決するための手段】
【０００５】
上述の目的を実現するため、本願の海綿体空気注入装置は、以下のような技術の方案を提供する。
【０００６】
〔第１考案〕
上記の課題を解決する為に、本願の第１考案に係る海綿体空気注入装置は、
海綿体に空気を入れて設置する装置であって、上ブイ（１）と、海綿体（２）と、アーム上面カバー体（１１）とを含む、海綿体空気注入装置であって、
上ブイ（１）に設置された第１保護ゴム（３）と、
上ブイ（１）の下端に設置された海綿体（２）と、
海綿体（２）の下方に設置された下ブイ（６）と、
下ブイ（６）の上方に設置された第２保護ゴム（４）と、
下ブイ（６）の前面に接続された風が出る通風路（５）と、
上ブイ（１）の上表面に設置された凸型円形ブロック（９）と、
凸型円形ブロック（９）の内に設置されたスプリング（７）と、
スプリング（７）の上端に設置されたスリップ防止端（８）と、
凸型円形ブロック（９）の右端に接続された、下方にあるふた体（１０）と、
ふた体（１０）の右端に接続されたアーム上面カバー体（１１）と、
アーム上面カバー体（１１）の右端に接続されたスリップ防止端（８）と、
を有する構成とした。
【０００７】
〔第２考案〕
好ましくは、本願の第２考案に係る海綿体空気注入装置は、第１考案において、
凸型円形ブロック（９）は、スプリング（７）を介して自動復帰機構を構成する。
【０００８】
〔第３考案〕
好ましくは、本願の第３考案に係る海綿体空気注入装置は、第１〜第２考案において、
ふた体（１０）の内部凹構造が、アーム上面カバー体（１１）の形状構造と嵌合する構成とした。
【０００９】
〔第４考案〕
好ましくは、本願の第４考案に係る海綿体空気注入装置は、第１〜第３考案において、
通風路（５）の両端が接着されており、
海綿体（２）近くの通風路（５）の一端と第１保護ゴム（３）との接続箇所は円形であり、
通風路（５）の残りの一端は、平たく接着した状態が長期間維持されるようにくっつけてある
ように構成されたことを特徴とする、海綿体空気注入装置。
【００１０】
既存技術と比較して、本願の有利な効果は、海綿体空気注入装置が、ゴム材料を採用しており、サイズが小さく、軽量で携帯に便利であり、材質ゆえに、手間が少なく、効率が高まる。
また、気体の逆流を防止する装置が設置されていて、装置からの漏洩を防止するシールドガスを２重に封止している。
【図面の簡単な説明】
【００１１】
【図１】本実施形態に係る海綿体空気注入装置の、構成要素ごとの模式図である。
【図２】海綿体空気注入装置の立体構造の模式図である。
【図３】海綿体空気注入装置における、一部構造の拡大図である。
【考案を実施するための形態】
【００１２】
［実施形態］
本発明の実施形態における技術的課題の解決手段は、本発明の実施形態における図面を参照することにより、明確かつ完全に説明される。
明示的に説明する実施形態は、本発明の実施形態の一部にすぎず、すべての実施例ではない。
【００１３】
本発明の実施形態に基づいて、当業者が通常の創作能力を発揮することにより得られる他のすべての実施形態は、本発明の保護範囲に含まれる。
【００１４】
以下、図１乃至図３を参照して、本考案の海綿体空気注入装置について説明する。
海綿体空気注入装置は、図１に示すように、上ブイ１と、海綿体２と、第１保護ゴム３と、第２保護ゴム４と、通風路５と、下ブイ６と、を具備している。
また、本例の海綿体空気注入装置は、図３に示すように、スプリング７と、スリップ防止端８と、凸型円形ブロック９と、ふた体１０と、アーム上面カバー体１１と、を有している。
【００１５】
第１保護ゴム３の上方には上ブイ１が設置されており、さらに上ブイ１の下方には海綿体２が設置されている。
海綿体２の下方には下ブイ６が設置されており、下ブイ６の上側においては第２保護ゴム４を設置し、下ブイ６の前面は通風路５に接続し、通風路５の両端は接着する。
海綿体（２）近くの通風路（５）の一端と第１保護ゴム（３）との接続箇所は円形である。
通風路（５）の残りの一端は、平たく接着した状態が長期間維持され、内部から気体を排出するのに便宜を図ったものであり、さらに外部からの気体の侵入を防ぎ、気体の逆流を効果的に防止する。
【００１６】
ブイ１の上表面には、凸型円形ブロック９が突き出るように設置されている。
さらに、凸型円形ブロック９の内にはスプリング７が設置されている。スプリング７の上端にはスリップ防止端８が設置されており、凸型円形ブロック９の右端にはふた体１０が接続されている。
さらに、ふた体１０の右端には、アーム上面カバー体１１が接続されている。
凸型円形ブロック９は、スプリング７を介して自動復帰機構を構成している。
凸型円形ブロック９は、スプリング７の弾性力により自動的に復帰するため、海綿体２に気体を注入できる。
【００１７】
アーム上面カバー体１１右端の下部には、スリップ防止端８が設けられている。
ふた体１０内部凹構造は、アーム上面カバー体１１の形状構造と嵌合するようになっている。
空気を入れる必要がない時、アーム上面カバー体１１をふた体１０と組み合わせて（嵌合させ）、ロックする。
【００１８】
［動作原理］
海綿体空気注入装置は、上ブイ１と下ブイ６にゴムを採用して作製されており、軽量で携帯に便利であり、下ブイ６の上方には第１保護ゴム３を設置してあるため、海綿体の２つの閉鎖的なガスシールドの効果を保管するのに用いられる。
気体は隙間から漏れやすいため、上ブイ１と下ブイ６のところには第２保護ゴム４を設置して、隙間からの漏洩を防止し、装置からの漏洩を防止するシールドガスを２重に封止するため密封保護効果がある。
【００１９】
海綿体２が押し出し圧力を受ける時、高速の気体が海綿体２の内から押し出される。
しかし、第１保護ゴム３の固定的な空間の内で保護するため、余分な気体は相互の押し出しと力の作用の下で通風路５のところから排除することしかできなくて、急速に空気を入れる効果に達する。
通風路５の両端は接着されており、海綿体（２）近くの通風路（５）の一端と第１保護ゴム（３）との接続箇所は円形であり、気体が内部から排除するのに便宜を図る。
【００２０】
通風路（５）の残りの一端は、平たく接着した状態が長期間維持されるため、外部からの気体の侵入を防ぎ、気体の逆流を効果的に防止する。
排気した後の海綿体２は、上ブイ１上端の下からふた体１０からしか外せないようになっている。
空気を取り入れることしかできず、海綿体２が全く型から押し出す後自動的に原状回復することができない場合、ふた体１０内部にある凸型円形ブロック９を下方向へ押さえつけることにより、外部から高速で気体が、丸いアークシュートを介して流入し、海綿体２を元の状態に回復させる。
【００２１】
凸型円形ブロック９を取り外すと、弾性力によって自動的に復帰するスプリング７があり、海綿体２に無期限に気体を注入できる。
空気を入れる必要がない時は、アーム上面カバー体１１を、下方のふた体１０と組み合わせてロックする。
アーム上面カバー体１１側にはスリップ防止端８が設置されており、スリップ防止端８を割ることで、アーム上面カバー体１１とふた体１０を分離（封止の開放）する。
【００２２】
以上、実施形態を参照して本考案を説明したが、本考案は上記実施形態に限定されるものではない。本考案の構成や詳細には、本考案の要旨を逸脱しない範囲で当業者が理解し得る各種の変形が可能である。
【符号の説明】
【００２３】
１  上ブイ
２  海綿体
３  第１保護ゴム
４  第２保護ゴム
５  通風路
６  下ブイ
７  スプリング
８  スリップ防止端
９  凸型円形ブロック
１０  ふた体
１１  アーム上面カバー体
【図１】
0003227139.tif 000003
【図２】
0003227139.tif 000004
【図３】
0003227139.tif 000005